(57)【要約】【解決手段】容器本体１は上枠２と底板３との間で各折畳み側板１５，１６と各支持側板１３，１４とを周方向へ交互に並設した周壁４を備えている。容器本体１の展開状態Ｐでは、上枠２に対し回動可能に支持した各支持側板１３，１４の回動を抑制して各支持側板１３，１４を上枠２と底板３との間で立設した状態を保持し得る回動抑制手段を設けているとともに、各支持側板１３，１４間に設けた底板３の縦方向及び横方向の移動を抑制して底板３を保持し得る移動抑制手段を設けている。容器本体１の折畳み状態では、各折畳み側板１５，１６と底板３とが上枠２と各支持側板１３，１４との間で互いに並んで収容される。【効果】携帯用折畳み容器を買物容器に利用する場合、運搬時や保管時に嵩張ることがなく利便性を良くするばかりでなく、容器本体１の展開状態Ｐを良好に維持することができる。【選択図】図１
2011230803.tif 000002
【特許請求の範囲】
【請求項１】
上枠と底板との間でそれらの外周に複数の折畳み側板と複数の支持側板とを周方向へ交互に並設した周壁を有する容器本体を備え、
その容器本体の展開状態では、上枠に対し回動可能に支持した各支持側板の回動を抑制してその各支持側板を上枠と底板との間で立設した状態を保持し得る回動抑制手段を設けるとともに、この各支持側板間に設けた底板の縦方向及び横方向の移動を抑制して底板を保持し得る移動抑制手段を設け、
その容器本体の折畳み状態では、底板及び各支持側板を前記移動抑制手段及び回動抑制手段による抑制から解除して、各折畳み側板を上枠側に閉じて折り畳むとともに底板を上枠側に移動し、各支持側板を上枠側に閉じて折り畳んで各折畳み側板と底板とを上枠と各支持側板との間で互いに並べて収容し、
前記容器本体の展開状態で底板の縦方向の移動を抑制し得る移動抑制手段は、縦方向のうち、底板が上枠側に対し離間する下向きへ移動するのを抑制する下動抑制手段のほかに、底板が上枠側に接近する上向きへ移動するのを抑制する上動抑制手段も備えていることを特徴とする携帯用折畳み容器。
【請求項２】
前記下動抑制手段は、底板の外周縁部に設けた載置部と、その載置部を載置して底板の下方への移動を抑制するように各支持側板の下縁部に設けた台部とを有し、前記上動抑制手段は、底板の外周縁部に形成した当接部と、その当接部に当接して底板の上方への移動を抑制するように各支持側板の下縁部に形成した係止凸部とを有していることを特徴とする請求項１に記載の携帯用折畳み容器。
【請求項３】
上枠と底板との間でそれらの外周に複数の折畳み側板と複数の支持側板とを周方向へ交互に並設した周壁を有する容器本体を備え、
その容器本体の展開状態では、上枠に対し回動可能に支持した各支持側板の回動を抑制してその各支持側板を上枠と底板との間で立設した状態を保持し得る回動抑制手段を設けるとともに、この各支持側板間に設けた底板の縦方向及び横方向の移動を抑制して底板を保持し得る移動抑制手段を設け、
その容器本体の折畳み状態では、底板及び各支持側板を前記移動抑制手段及び回動抑制手段による抑制から解除して、各折畳み側板を上枠側に閉じて折り畳むとともに底板を上枠側に移動し、各支持側板を上枠側に閉じて折り畳んで各折畳み側板と底板とを上枠と各支持側板との間で互いに並べて収容し、
前記容器本体の展開状態で底板の横方向の移動を抑制し得る移動抑制手段は、底板の外周縁部に設けた当接部に当接するように各支持側板の下縁部に設けた当接部のほかに、底板の外周縁部と各支持側板の下縁部との間に形成した凹凸状の係合部も備えている
ことを特徴とする携帯用折畳み容器。
【請求項４】
上枠と底板との間でそれらの外周には複数の折畳み側板と複数の支持側板とを周方向へ交互に並設した周壁を備え、
その容器本体の展開状態では、上枠に対し回動可能に支持した各支持側板の回動を抑制してその各支持側板を上枠と底板との間で立設した状態を保持し得る回動抑制手段を設けるとともに、この各支持側板間に設けた底板の縦方向及び横方向の移動を抑制して底板を保持し得る移動抑制手段を設け、
その容器本体の折畳み状態では、各支持側板及び底板を前記回動抑制手段及び移動抑制手段による抑制から解除して、各折畳み側板を上枠側に閉じて折り畳むとともに底板を上枠側に移動し、各支持側板を上枠側に閉じて折り畳んで各折畳み側板と底板とを上枠と各支持側板との間で互いに並べて収容し、
前記容器本体の折畳み状態から各支持側板を上枠側に対し互いに開くように回動させて前記容器本体を展開状態にする途中の状態で、上枠側に対し離間するように移動させた底板の外周縁部がその各支持側板に圧接されて各支持側板がその弾性に抗してさらに開くように、各支持側板の間隔と底板の外周縁部の間隔とを設定した
ことを特徴とする携帯用折畳み容器。
【請求項５】
前記回動抑制手段は、前記容器本体の展開状態で、各支持側板が立設状態から上枠側に閉じて折り畳まれる閉回動向き側に回動するのを抑制するように底板と各支持側板との間に設けたストッパと、その閉回動向きに対する反対向き側に各支持側板が回動するのを抑制するように上枠と各支持側板との間に設けたストッパとを備えていることを特徴とする請求項１から請求項４のうちいずれか一つの請求項に記載の携帯用折畳み容器。
【請求項６】
前記容器本体の折畳み状態において各支持側板が上枠側から立設状態に向けて開く開回動向き側に回動するのを抑制するように上枠と各支持側板との間に設けた係止部を有する回動抑制手段を備えていることを特徴とする請求項１から請求項５のうちいずれか一つの請求項に記載の携帯用折畳み容器。
【発明の詳細な説明】
【技術分野】
【０００１】
本発明は買物容器などに利用することができる携帯用折畳み容器に関するものである。
【背景技術】
【０００２】
スーパーなどでは、一般に、レジ用かごやレジ用カートに商品を入れてレジで精算した後、レジで貰った樹脂袋にレジ用かごやレジ用カートから商品を移していた。最近、樹脂袋の多用が環境に及ぼす悪影響を考慮して樹脂袋の有料化が進められている。そのような樹脂袋に代えて買物容器を持参する客も多い。
【０００３】
客が持参する買物容器としては布袋が多い。しかし、収容量の少ない布袋の場合、商品の量が多いと複数の布袋を用意しなければならない。また、柔軟な布袋の場合、樹脂袋と同様に、収容された商品が安定せず傾いたり型くずれしたりして商品価値が下がるおそれがあった。そこで、収容量が多くある程度の剛性を有するレジ用かごと同種の買物かごを持参することも可能であるが、買い物の往復時に買物かごが嵩張る問題があった。
【０００４】
そこで、本出願人は下記特許文献１で開示された携帯用折畳み容器を提供している。
【先行技術文献】
【特許文献】
【０００５】
【特許文献１】特開２００９−０５１５４７号公報
【発明の概要】
【発明が解決しようとする課題】
【０００６】
上記特許文献１にかかる携帯用折畳み容器では、容器本体の展開状態で底板の外周縁部を載置する台部を各支持側板の下縁部に設けているので、縦方向のうち、底板が上枠側に対し離間する下向きへ移動するのを抑制することはできるが、底板が上枠側に接近する上向きへ移動するのを抑制することはできない。そのため、底板が不用意に浮き上がると、各支持側板が立設状態から上枠側に閉じて折り畳まれる閉回動向き側に回動するのを抑制することができず、各支持側板の動きの抑制が不十分になって容器本体の展開状態が不安定な状態になる。
【０００７】
また、上記特許文献１にかかる携帯用折畳み容器では、容器本体の展開状態で底板の外周縁部を各支持側板の下縁部に当接させて底板の横方向の移動を抑制しているに過ぎず、各支持側板が不用意に動くと、底板の動きの抑制が不十分になって容器本体の展開状態が不安定な状態になる。
【０００８】
この発明は、例えば買物容器として利用する場合、運搬時や保管時に嵩張ることがなく利便性の良い携帯用折畳み容器を提供するばかりでなく、容器本体の展開状態を良好に維持することを目的としている。
【課題を解決するための手段】
【０００９】
後記実施形態の図面（図１〜７）の符号を援用して本発明を説明する。
請求項１，３，４の発明にかかる携帯用折畳み容器は、下記の共通構成を有している。
上枠２と底板３との間でそれらの外周に複数の折畳み側板１５，１６と複数の支持側板１３，１４とを周方向へ交互に並設した周壁４を有する容器本体１を備えている。その容器本体１の展開状態Ｐでは、上枠２に対し回動可能に支持した各支持側板１３，１４の回動を抑制してその各支持側板１３，１４を上枠２と底板３との間で立設した状態を保持し得る回動抑制手段１８ａ，９ａ，１０ａ、１７ａ，５ａ，６ａを設けているとともに、この各支持側板１３，１４間に設けた底板３の縦方向Ｚ及び横方向Ｘ，Ｙの移動を抑制して底板３を保持し得る移動抑制手段２９，３０、３１，３２、１８ａ，９ａ，１０ａ、１８ｂ，９ｂ，１０ｂ、２７，２８を設けている。その容器本体１の折畳み状態Ｑでは、底板３及び各支持側板１３，１４を前記移動抑制手段及び回動抑制手段による抑制から解除して、各折畳み側板１５，１６を上枠２側に閉じて折り畳むとともに底板３を上枠２側に移動し、各支持側板１３，１４を上枠２側に閉じて折り畳んで各折畳み側板１５，１６と底板３とを上枠２と各支持側板１３，１４との間で互いに並べて収容する。従って、展開状態Ｐの容器本体１を買物かごとして利用することができるばかりでなく、買い物の往復時や実際の買い物時に容器本体１を折畳み状態Ｑにすれば、容器本体１が嵩張らず、容器本体１を容易に運搬したり保管したりすることができる。また、容器本体１の展開状態Ｐで、底板３を利用した簡単な構造により、各支持側板１３，１４を立設状態で保持することができる。さらに、容器本体１の折畳み状態Ｑで、容器本体１をコンパクトに折り畳むことができる。
【００１０】
さらに、請求項１の発明において、前記容器本体１の展開状態Ｐで底板３の縦方向Ｚの移動を抑制し得る移動抑制手段は、縦方向Ｚのうち、底板３が上枠２側に対し離間する下向きへ移動するのを抑制する下動抑制手段２９，３０のほかに、底板３が上枠２側に接近する上向きへ移動するのを抑制する上動抑制手段３１，３２も備えている。従って、底板３の不用意な浮き上がりを防止して、容器本体１の展開状態Ｐを安定な状態で維持することができる。
【００１１】
また、請求項１の発明を前提とする請求項２の発明において、前記下動抑制手段は、底板３の外周縁部９，１０に設けた載置部２９と、その載置部２９を載置して底板３の下方への移動を抑制するように各支持側板１３，１４の下縁部１８に設けた台部３０とを有し、前記上動抑制手段は、底板３の外周縁部９，１０に形成した当接部３１と、その当接部３１に当接して底板３の上方への移動を抑制するように各支持側板１３，１４の下縁部１８に形成した係止凸部３２とを有している。従って、下動抑制手段及び上動抑制手段を簡単な構造にすることができる。
【００１２】
さらに、請求項３の発明において、前記容器本体１の展開状態Ｐで底板３の横方向Ｘ，Ｙの移動を抑制し得る移動抑制手段は、底板３の外周縁部９，１０に設けた当接部９ａ，１０ａ，９ｂ，１０ｂに当接するように各支持側板１３，１４の下縁部１８に設けた当接部１８ａ，１８ｂのほかに、底板３の外周縁部９，１０と各支持側板１３，１４の下縁部１８との間に形成した凹凸状の係合部２７，２８も備えている。従って、底板３の横方向Ｘ，Ｙの移動を簡単な構造の移動抑制手段で防止して、容器本体１の展開状態Ｐを安定な状態で維持することができる。
【００１３】
さらに、請求項４の発明において、前記容器本体１の折畳み状態Ｑから各支持側板１３，１４を上枠２側に対し互いに開くように回動させて前記容器本体１を展開状態Ｐにする途中の状態Ｂで、上枠２側に対し離間するように移動させた底板３の外周縁部９，１０がその各支持側板１３，１４に圧接されて各支持側板１３，１４がその弾性に抗してさらに開くように、各支持側板１３，１４の間隔と底板３の外周縁部９，１０の間隔とを設定している。従って、各支持側板１３，１４が底板３を挟持して圧接した状態となるため、移動抑制手段及び回動抑制手段による抑制の不容易な解除を防止して、容器本体１の展開状態Ｐを安定な状態で維持することができる。
【００１４】
請求項１から請求項４のうちいずれか一つの請求項の発明を前提とする請求項５の発明において、前記回動抑制手段は、前記容器本体１の展開状態Ｐで、各支持側板１３，１４が立設状態から上枠２側に閉じて折り畳まれる閉回動向きＲＱ側に回動するのを抑制するように底板３と各支持側板１３，１４との間に設けたストッパ１８ａ，９ａ，１０ａと、その閉回動向きＲＱに対する反対向き（開回動向きＲＰ）側に各支持側板１３，１４が回動するのを抑制するように上枠２と各支持側板１３，１４との間に設けたストッパ１７ａ，５ａ，６ａとを備えている。従って、各支持側板１３，１４の回動を簡単な構造の回動抑制手段で防止して容器本体１の展開状態Ｐを安定な状態で維持することができる。
【００１５】
請求項１から請求項５のうちいずれか一つの請求項の発明を前提とする請求項６の発明において、前記容器本体１の折畳み状態Ｑで各支持側板１３，１４が上枠２側から立設状態に向けて開く開回動向きＲＰ側に回動するのを抑制するように上枠２と各支持側板１３，１４との間に設けた係止部３４，３５を有する回動抑制手段を備えている。従って、各支持側板１３，１４の回動を簡単な構造の回動抑制手段で防止して、容器本体１の折畳み状態Ｑを安定な状態で維持することができる。
【００１６】
請求項１から請求項６のうちいずれか一つの請求項の発明を前提とする第７の発明において、前記折畳み側板１５，１６は、底板３と上枠２との間に架設されて立設状態から上枠２側に折り畳み得るシート材により成形された柔軟体を有している。従って、容器本体１の内外を仕切る機能を有するシート材である柔軟体により、折畳み側板１５，１６を簡単な構造にするとともに、容器本体１を簡単に折り畳むことができる。
【００１７】
また、請求項２の発明と請求項３の発明とを組み合わせた第８の発明、請求項２の発明と請求項４の発明とを組み合わせた第９の発明、請求項３の発明と請求項４の発明とを組み合わせた第１０の発明、請求項２の発明と請求項３の発明と請求項４の発明とを組み合わせた第１１の発明においては、それぞれの発明の効果を組み合わせた効果を奏する。
【発明の効果】
【００１８】
本発明は、携帯用折畳み容器を例えば買物容器として利用する場合、運搬時や保管時に嵩張ることがなく利便性を良くするばかりでなく、容器本体１の展開状態Ｐを良好に維持することができる。
【図面の簡単な説明】
【００１９】
【図１】（ａ）は本実施形態にかかる携帯用折畳み容器の展開状態を示す斜視図であり、（ｂ）は（ａ）の部分斜視図である。
【図２】（ａ）は図１（ａ）を側面側から見た縦断面図であり、（ｂ）（ｃ）（ｄ）（ｅ）（ｆ）（ｇ）はそれぞれ図１（ａ）を側面側から見た部分断面図である。
【図３】（ａ）は図１（ａ）を正面側から見た縦断面図であり、（ｂ）は図１（ａ）を正面側から見た部分断面図である。
【図４】本実施形態にかかる携帯用折畳み容器の折畳み状態を示す斜視図である。
【図５】（ａ）は図１（ａ）の部分斜視図であり、（ｂ）は上記携帯用折畳み容器を展開状態から折畳み状態にする途中の状態における部分斜視図であり、（ｃ）は図４の部分斜視図である。
【図６】（ａ）は図４を側面側から見た縦断面図であり、（ｂ）は図４を正面側から見た縦断面図である。
【図７】（ａ）は本実施形態にかかる携帯用折畳み容器を上記折畳み状態から上記展開状態にする途中の状態を示す斜視図であり、（ｂ）は図７（ａ）を側面側から見た縦断面図であり、（ｃ）（ｄ）はそれぞれ（ｂ）の部分断面図である。
【発明を実施するための形態】
【００２０】
以下、本発明の一実施形態に係る携帯用折畳み容器について図面を参照して説明する。
図１、図２及び図３に示すように、展開状態Ｐの携帯用折畳み容器は、例えば買い物容器として利用され、その容器本体１においては上枠２と底板３との間でそれらの外周に周壁４が設けられている。この上枠２は、高分子材料（ある程度の剛性を保つことができる各種樹脂）により成形され、前枠部５と後枠部６と左枠部７と右枠部８とから環状をなしている。この底板３は、高分子材料（ある程度の剛性を保つことができる各種樹脂）により成形され、外周に前縁部９と後縁部１０と左縁部１１と右縁部１２とを有し、それらの間で多数の透孔３ａを有する格子状に形成されている。
【００２１】
前記周壁４は、上枠２の前枠部５と底板３の前縁部９との間に配設された前側支持側板１３と、上枠２の後枠部６と底板３の後縁部１０との間に配設された後側支持側板１４と、上枠２の左枠部７と底板３の左縁部１１との間に配設された左側折畳み側板１５と、上枠２の右枠部８と底板３の右縁部１２との間に配設された右側折畳み側板１６とからなる。この前側支持側板１３と後側支持側板１４とが前後方向Ｘ（縦方向である上下方向Ｚに対し直交する横方向）で相対向するとともに、この左側折畳み側板１５と右側折畳み側板１６とが左右方向Ｙ（縦方向である上下方向Ｚと前後方向Ｘとに対し直交する横方向）で相対向し、その各支持側板１３，１４と各折畳み側板１５，１６とが周方向へ交互に並設されている。
【００２２】
前記前側支持側板１３及び後側支持側板１４は、それぞれ、外周に上縁部１７と下縁部１８と左縁部１９と右縁部２０とを有し、それらの間で多数の透孔１３ａ，１４ａを有する格子状に形成されている。この前側支持側板１３及び後側支持側板１４の上縁部１７の左右両端部には、それぞれ、図５（ａ）に示す支軸２１が形成されているとともに、前記上枠２の前枠部５及び後枠部６の左右両端部には、それぞれ、図５（ａ）に示す支持孔２２が形成され、この支持孔２２に支軸２１が挿着されている。この前側支持側板１３は、上枠２の前枠部５に対しこの支軸２１により回動中心線２１ａを中心に回動可能に支持されて、上枠２の前枠部５と底板３の前縁部９との間で立設されている。この後側支持側板１４は、上枠２の後枠部６に対しこの支軸２１により回動中心線２１ａを中心に回動可能に支持されて上枠２の後枠部６と底板３の後縁部１０との間で立設されている。この前側支持側板１３の下縁部１８と後側支持側板１４の下縁部１８との間に底板３が挟持されている。
【００２３】
前記左側折畳み側板１５及び右側折畳み側板１６は、それぞれ、外周に上縁部２３と下縁部２４と前縁部２５と後縁部２６とを有する柔軟体からなる。この左側折畳み側板１５は、上縁部２３で上枠２の左枠部７に取着されているとともに下縁部２４で底板３の左縁部１１に取着されてそれらの間に架設され、前縁部２５で前側支持側板１３の左縁部１９に沿うとともに後縁部２６で後側支持側板１４の左縁部１９に沿う。この右側折畳み側板１６は、上縁部２３で上枠２の右枠部８に取着されているとともに下縁部２４で底板３の右縁部１２に取着されてそれらの間に架設され、前縁部２５で前側支持側板１３の右縁部２０に沿うとともに後縁部２６で後側支持側板１４の右縁部２０に沿う。これらの柔軟体は樹脂や布などのシート材により成形され、三次元方向（前後方向Ｘや左右方向Ｙや上下方向Ｚ）で自在に折り曲げることができる。
【００２４】
前記前側支持側板１３の下縁部１８と後側支持側板１４の下縁部１８とにはそれらの左右両端部間にわたりストッパ１８ａが形成されているとともに、底板３の前縁部９と後縁部１０とにはそれらの左右両端部間にわたりストッパ９ａ，１０ａが形成され、それらのストッパ１８ａ，９ａ，１０ａ（回動抑制手段）が互いに係止される。そのため、前側支持側板１３と後側支持側板１４とは立設状態から上枠２側に閉じて折り畳まれる閉回動向きＲＱへ回動するのを抑制される。また、この前側支持側板１３及び後側支持側板１４の上縁部１７の左右両端部にはストッパ１７ａが形成されているとともに、上枠２の前枠部５及び後枠部６の左右両端部にはストッパ５ａ，６ａが形成され、それらのストッパ１７ａ，５ａ，６ａ（回動抑制手段）が互いに係止される。そのため、前側支持側板１３と後側支持側板１４とは立設状態から前記閉回動向きＲＱに対する反対向き（開回動向きＲＰ）側に回動するのを抑制される。
【００２５】
前記底板３のストッパ９ａ，１０ａと前記前側支持側板１３及び後側支持側板１４のストッパ１８ａとがそれぞれ移動抑制手段である当接部として互いに当接される。そのため、底板３は前後方向Ｘへ移動するのを抑制される。
【００２６】
前記底板３の前縁部９及び後縁部１０の左右両端部にはそれぞれ当接部９ｂ，１０ｂが形成されているとともに、前側支持側板１３及び後側支持側板１４の下縁部１８の左右両端部にはそれぞれ当接部１８ｂが形成され、それらの当接部９ｂ，１０ｂ，１８ｂ（移動抑制手段）が互いに当接される。そのため、底板３は左右方向Ｙへ移動するのを抑制される。
【００２７】
前記底板３の前縁部９及び後縁部１０の中央部及び左右両端部にはそれぞれ係合部としての係合孔２７が形成されているとともに、前側支持側板１３及び後側支持側板１４の下縁部１８の中央部及び左右両端部にはそれぞれ係合部としての係合突起２８が形成され、それらの係合孔２７と係合突起２８（移動抑制手段）とが互いに係合される。そのため、底板３は前後方向Ｘ及び左右方向Ｙへ移動するのを抑制される。
【００２８】
前記底板３の前縁部９と後縁部１０とにはそれらの左右両端部間にわたり載置部２９（移動抑制手段における下動抑制手段）が形成されているとともに、前側支持側板１３及び後側支持側板１４の下縁部１８にはそれらの左右両端部間にわたり台部３０（移動抑制手段における下動抑制手段）が形成され、その台部３０に載置部２９が載置される。そのため、底板３は、上下方向Ｚのうち下向きへ移動するのを抑制される。
【００２９】
前記底板３の前縁部９と後縁部１０とにはそれらの左右両端部間にわたり当接部３１（移動抑制手段における上動抑制手段）が形成されているとともに、前側支持側板１３及び後側支持側板１４の下縁部１８の中央部及び左右両端部には係止凸部３２（移動抑制手段における上動抑制手段）が形成され、それらの係止凸部３２に当接部３１が係止される。そのため、底板３は、上下方向Ｚのうち上向きへ移動するのを抑制される。
【００３０】
さて、図１、図２及び図３に示す容器本体１の展開状態Ｐでは、上枠２が開放され、上枠２の前後両側に取り付けられた取っ手３３がその上枠２に寝かされた不使用状態になっている。その不使用状態から両取っ手３３を引き上げて使用状態にし、買い物後に商品を上枠２から容器本体１に入れ、この両取っ手３３を把持して容器本体１を支え持つことができる。
【００３１】
この容器本体１の展開状態Ｐで、前側支持側板１３と後側支持側板１４とをそれらの弾性力に抗して開回動向きＲＰ側へ互いに若干開いて、前記底板３の前縁部９及び後縁部１０の当接部３１と前側支持側板１３及び後側支持側板１４の下縁部１８の係止凸部３２との係止を外すと、前側支持側板１３と後側支持側板１４とがそれらの弾性力により互いに若干閉じて、底板３が前側支持側板１３と後側支持側板１４とにより上枠２側に若干持ち上げられ、前側支持側板１３及び後側支持側板１４が底板３による抑制から解除される。その後、左側折畳み側板１５及び右側折畳み側板１６である柔軟体を上枠２側に閉じて折り畳みながら、底板３を上枠２側に移動させると、前側支持側板１３及び後側支持側板１４が左右両支軸２１の回動中心線２１ａを中心に回動可能となる。
【００３２】
その前側支持側板１３及び後側支持側板１４を上枠２側に閉じて折り畳むと、図４及び図６に示すように、容器本体１が折畳み状態Ｑになり、前側支持側板１３の下縁部１８側と後側支持側板１４の下縁部１８側とが互いに突き合わされるとともに、その前側支持側板１３及び後側支持側板１４と上枠２との間に底板３及び柔軟体（左側折畳み側板１５及び右側折畳み側板１６）が互いに並んで収容される。左右両支軸２１の回動中心線２１ａに対する偏心位置で、前側支持側板１３及び後側支持側板１４の上縁部１７には図５（ａ）に示す係止突部３４（係止部）が形成されているとともに、上枠２の前枠部５及び後枠部６には図５（ａ）に示す係止突部３５（係止部）が形成され、それらの係止突部３４，３５は容器本体１の展開状態Ｐで互いに離間している。図５（ｂ）に示すようにこの係止突部３４が係止突部３５にくい込んで圧接された後、図５（ｃ）に示すように容器本体１の折畳み状態Ｑでこの係止突部３４が係止突部３５に係止されるため、前側支持側板１３及び後側支持側板１４の折畳み状態Ｑが保持される。
【００３３】
この容器本体１の折畳み状態Ｑで、前側支持側板１３と後側支持側板１４とを互いに若干開いて前記両係止突部３４，３５間の係止を解除した後、前記柔軟体（左側折畳み側板１５及び右側折畳み側板１６）を広げながら、底板３を上枠２側に対し離間するように移動させると、図７に示すように、前記容器本体１を展開状態Ｐにする途中の状態Ｂにおいて、前側支持側板１３と後側支持側板１４との間で底板３が挟持されて底板３の前縁部９が前側支持側板１３に当接するとともに底板３の後縁部１０が後側支持側板１４に当接する。その途中状態Ｂにおいて、前側支持側板１３の下縁部１８のストッパ１８ａと後側支持側板１４の下縁部１８のストッパ１８ａとの間で前後方向Ｘの間隔が、底板３の前縁部９のストッパ９ａと後縁部１０のストッパ１０ａとの間で前後方向Ｘの間隔よりも小さく設定されているため、それらのストッパ９ａ，１０ａが前側支持側板１３及び後側支持側板１４に対し開回動向きＲＰ側へ圧接されてその前側支持側板１３と後側支持側板１４とがその弾性に抗してさらに開く。従って、前側支持側板１３と後側支持側板１４とが底板３を挟持して圧接した状態で、容器本体１の展開状態Ｐとなる。
【００３４】
本実施形態は下記の効果を有する。
（１）  スーパーなどでレジ用かごやレジ用カートに商品を入れてレジで精算した後、展開状態Ｐの容器本体１にレジ用かごやレジ用カートから商品を移し、その容器本体１を取っ手３３により支え持って容易に運搬したり保管したりすることができる。
【００３５】
（２）  買い物の往復時や実際の買い物時に容器本体１を折畳み状態Ｑにすれば、容器本体１をコンパクトに折り畳むことができ、容器本体１が嵩張らず、容器本体１を容易に運搬したり保管したりすることができる。
【００３６】
（３）  容器本体１の展開状態Ｐで、底板３及び上枠２を利用した簡単な構造により、各支持側板１３，１４を立設状態で保持することができる。また、各支持側板１３，１４を利用した簡単な構造により底板３を支えて、底板３の上下方向Ｚや前後方向Ｘや左右方向Ｙへの移動を防止することができる。
【００３７】
（４）  簡単な構造の移動抑制手段及び回動抑制手段にすることができるとともに、各支持側板１３，１４が底板３を挟持して圧接した状態となるため、それらによる抑制の不用意な解除を防止して、容器本体１の展開状態Ｐを安定な状態で維持することができる。
【００３８】
（５）  各折畳み側板１５，１６の全体が布などのシート材による柔軟体であるため、その柔軟体は、周壁４として容器本体１の内外を仕切る機能ばかりでなく、容器本体１を簡単な構造で折り畳む機能も有する。
【００３９】
前記実施形態以外にも例えば下記のように構成してもよい。
・  支持側板１３，１４及び折畳み側板１５，１６をそれぞれ三以上設ける。
・  各折畳み側板１５，１６の一部にのみ、布などのシート材による柔軟体を設ける。
【００４０】
・  各支持側板１３，１４間を固定部材により連結して、容器本体１の展開状態Ｐで各支持側板１３，１４が立設状態から上枠２側に折り畳まれる閉回動向きＲＱに対する反対向き（開回動向きＲＰ）側に回動するのを規制する。
【００４１】
・  前記実施形態において、上枠２を閉塞する蓋を設ける。
・  前記実施形態において、底板３の透孔３ａや前側支持側板１３及び後側支持側板１４の透孔１３ａ，１４ａを省略する。
【符号の説明】
【００４２】
１…容器本体、２…上枠、３…底板、４…周壁、５…上枠の前縁部、６…上枠の後縁部、５ａ，６ａ…ストッパ（回動抑制手段）、９…底板の前縁部（外周縁部）、１０…底板の後縁部（外周縁部）、９ａ，１０ａ…ストッパ（移動抑制手段、回動抑制手段）、９ｂ，１０ｂ…当接部（移動抑制手段）、１３…前側支持側板、１４…後側支持側板、１５…左側折畳み側板、１６…右側折畳み側板、１７…前後両側支持側板の上縁部、１８…前後両側支持側板の下縁部、１７ａ…ストッパ（回動抑制手段）、１８ａ…ストッパ（移動抑制手段、回動抑制手段）、１８ｂ…当接部（移動抑制手段）、２７…底板の係合部としての係合孔（移動抑制手段）、２８…前後両側支持側板の係合部としての係合突起（移動抑制手段）、２９…底板の載置部（移動抑制手段としての下動抑制手段）、３０…前後両側支持側板の台部（移動抑制手段としての下動抑制手段）、３１…底板の当接部（移動抑制手段としての上動抑制手段）、３２…前後両側支持側板の係止凸部（移動抑制手段としての上動抑制手段）、３４，３５…係止突起（係止部）、Ｐ…展開状態、Ｑ…折畳み状態、Ｂ…途中状態、Ｚ…上下方向（縦方向）、Ｘ…前後方向（横方向）、Ｙ…左右方向（横方向）、ＲＱ…閉回動向き、ＲＰ…開回動向き（反対向き）。
【図１】
2011230803.tif 000003
【図２】
2011230803.tif 000004
【図３】
2011230803.tif 000005
【図４】
2011230803.tif 000006
【図５】
2011230803.tif 000007
【図６】
2011230803.tif 000008
【図７】
2011230803.tif 000009